(57)【要約】【課題】電気コネクタを提供する。【解決手段】  本発明の電気コネクタは、外殻、内蓋、パッド体、導線及び弾性片を含み、外殻内部に収容通路を形成し、収容通路の相対する両端にそれぞれ取り付け孔及び嵌合孔を形成し、内蓋は、収容通路の嵌合孔の位置に組み付けられ、内部に取り付け通路を形成し、パッド体は、収容通路の取り付け孔位置に接続し、且つ内部に固定通路を形成し、導線は、パッド体の固定通路に挿設され、固定通路が外向きに導電接続段に延伸し、弾性片は、挟持端及び相対側に位置する嵌合端を設け、嵌合端が該内蓋の取り付け通路に取り付けられ、挟持端が導線の導電接続段の相反端にリベット接続し、且つ挟持端がパッド体と接触嵌合し、外殻の内壁面が弾性片の間に間隔空間を形成し、これにより部品構造設計及び部品の間の組み立て方式を改良し、部品総数を減少させ、部品の間の組み立ての複雑度及び組み立て時間を低減する目的を達成することができる。【選択図】図４
2018181826.tif 000002
【特許請求の範囲】
【請求項１】
内部に収容通路を形成し、該収容通路の相対する両端にそれぞれ取り付け孔及び嵌合孔を形成した外殻と、
該収容通路の嵌合孔の位置に組み付けられ、内部に取り付け通路を形成した内蓋と、
該収容通路の取り付け孔位置に接続し、且つ内部に固定通路を形成したパッド体と、
該パッド体の固定通路に挿設され、該固定通路が外向きに導電接続段に延伸する導線と、
挟持端及び相対側に位置する嵌合端を設け、該嵌合端が該内蓋の取り付け通路に取り付けられ、該挟持端が該導線の導電接続段の相反端にリベット接続し、且つ該挟持端が該パッド体と接触嵌合し、該外殻の内壁面が該弾性片の間に間隔空間を形成する弾性片と、を含み、
該収容通路は、該取り付け孔から該嵌合孔へ向けて寸法が徐々に縮小する第１孔径、第２孔径及び第３孔径を形成し、該内蓋は、該第３孔径前端部が構成する第２係止部に嵌合し、該パッド体は、該第２孔径前端部が構成する第１係止部に嵌合される、電気コネクタ。
【請求項２】
更に、該導線に覆設され、該パッド体、該弾性片及び該導線の三者の間に位置する係止部材を含む請求項１に記載の電気コネクタ。
【請求項３】
前記パッド体の固定通路は、該導線に対応する第１直径及び該係止部材に対応する第２直径を有し、該第２直径は、該第１直径より大きい請求項２に記載の電気コネクタ。
【請求項４】
前記内蓋の取り付け通路両端にそれぞれ配線開孔及び挿入開孔を形成し、該配線開孔および挿入開孔の間に嵌合空間を形成し、且つ該配線開孔の孔形寸法は、該嵌合の直径寸法より小さい請求項１に記載の電気コネクタ。
【請求項５】
該配線開孔は、外向きに徐々に拡張する錐状の接続孔を延伸し、該挿入開孔も、外向きに徐々に拡張する錐状の挿入孔を延伸する請求項４に記載の電気コネクタ。
【発明の詳細な説明】
【技術分野】
【０００１】
本発明は、電気ケーブルコネクタに関し、特に、電気機器の伝送コネクタに合わせて接続できるコネクタ構造に関する。
【背景技術】
【０００２】
一般的に、よく見られる電子装置又は３Ｃ電気機器製品（Computer、Communication、Consumer Electronics)の外部表面には、その他の電子装置と相互に電気接続する接続端子を設置し、この種の信号コネクタは、各種電子装置がデータ伝送及びその他の周辺機器と接続する時に不可欠な装備となっており、異なる接続端子の間に接続端子に対応するスロットを有する電気ケーブルを介して相互に電気接続し、接続端子は、異なる規格の異なる導線数量の区別を有し、フールプルーフとして異なる型番の接続端子が誤って接続される可能性を回避することができる。
【０００３】
図１〜図３を参照し、それは、それぞれ従来の接続端子１の縦方向断面説明図、立体分解図及び局部拡大図であり、そのうち、組成構造は、外表が保護シェル１０で全部覆われ、中央軸心位置にピン針１１導体を設け、該ピン針１１の末端が該保護シェル１０の外部に延伸し、該ピン針１１の上端は弾性部材１２に挟持され位置決めされる。
【０００４】
図から容易に分かるように、該弾性部材１２は該ピン針１１を挟持し、且つ該弾性部材１２は、同時に内蓋１３、係止部材１４及び第１パッドリング１５が環状に覆設されて位置決めされ、該内蓋１３の上端は、外蓋１６により結合され、該外蓋１６は、該内蓋１３の表面に当接され、該内蓋１３の一部だけに接触されている。また、該ピン針１１の末端は、別途該第１パッドリング１５の外からパッド１７及び第２パッドリング１８に被せられて安定になる。
【０００５】
図３の局部拡大図から分かるように、該弾性部材１２の末端領域は、該係止部材１４と接触し、該弾性部材１２の中央領域は、該内蓋１３と接触し、且つ該弾性部材１２の上端領域は、該外蓋１６と接触し、即ち、該内蓋１３及び外蓋１６の両者が共同で該弾性部材１２を押圧し、該弾性部材１２の該ピン針１１に対する挟持力及び安定性を増加させている。
【０００６】
また、構造組み立て方式及び順序について述べれば、該ピン針１１が該弾性部材１２に挟持され、該ピン針１１の末端が先ず該内蓋１３に挿設され、該弾性部材１２が該外蓋１６に挿設され、それから、その他の第１パッドリング１５、パッド１７及び第２パッドリング１８の部品を組み付け、これに基づいて分かるように、従来の接続端子１の部品は多く、組み立て工程で比較的多くの時間を費やし、自動化生産お及び自動化組み立てが容易ではなくなっている。
【発明の概要】
【発明が解決しようとする課題】
【０００７】
本発明の目的は、部品構造設計を改良し、部品総数を減少させ、これにより部品組み立ての複雑度及び組み立て時間を低減し、部品の自動化製造効率、自動化組立工程及び簡易度を向上させることにある。
【０００８】
本発明のもう１つの目的は、改良した蓋体の部品構造設計によって、蓋体部品の数量を１つに減少し、単一の蓋体により弾性片に対して安定した挟持効果を達成することにある。
【０００９】
本発明の更にもう１つの目的は、内蓋及びパッド体をそれぞれ当接位置決めさせることができる第１係止部、第２係止部を設計し、内蓋及びパッド体の位置決め位置を確保する以外に、更に弾性片をリリースできる位置空間を保留することができるようにすることにある。
【課題を解決するための手段】
【００１０】
上記目的を達成するため、電気コネクタは、内部に収容通路を形成し、該収容通路の相対する両端にそれぞれ取り付け孔及び嵌合孔を形成した外殻と、該収容通路の嵌合孔の位置に組み付けられ、内部に取り付け通路を形成した内蓋と、該収容通路の取り付け孔位置に接続し、且つ内部に固定通路を形成したパッド体と、該パッド体の固定通路に挿設され、該固定通路が外向きに導電接続段に延伸する導線と、挟持端及び相対側に位置する嵌合端を設け、該嵌合端が該内蓋の取り付け通路に取り付けられ、該挟持端が該導線の導電接続段の相反端にリベット接続し、且つ該挟持端が該パッド体と接触嵌合し、該外殻の内壁面が該弾性片の間に間隔空間を形成する弾性片と、を含む。
【００１１】
該電気コネクタは、該導線に覆設され該パッド体該弾性片及び該導線の三者の間に位置する係止部材を含み、該止部材により前記三者の間の組み立て安定性を増加する。
【００１２】
また、該パッド体の固定通路は、該導線に対応する第１直径及び該係止部材に対応する第２直径を有し、該第２直径は、該第１直径より大きい。
【００１３】
また、該内蓋の取り付け通路両端にそれぞれ配線開孔及び挿入開孔を形成し、該配線開孔および挿入開孔の間に嵌合空間を形成し、且つ該配線開孔の孔形寸法は、該嵌合の直径寸法より小さく、このように、該弾性片は、該内蓋に取り付けられて進入した後、該内蓋から脱落する可能性を大幅に低減することができる。
【００１４】
このほか、該配線開孔は、外向きに徐々に拡張する錐状の接続孔を延伸し、該挿入開孔も、外向きに徐々に拡張する錐状の挿入孔を延伸し、徐々に拡張する態様を設計することで挿入組み立てする部品を特に照準する必要がなく、省力で、簡単に滑り込ませることができるガイドの組み立て方式を提供することができる。
【００１５】
最後に、該収容通路は、該取り付け孔から該嵌合孔へ向けて寸法が徐々に縮小する第１孔径、第２孔径及び第３孔径を形成し、該内蓋は、該第３孔径端部が構成する第２係止部に嵌合し、該パッド体は、該第２孔径前端部が構成する第１係止部に嵌合される。
【発明の効果】
【００１６】
前記説明から分かるように、本発明の特長は、改良した部品構造の設計によって、部品組み立ての複雑度及び組み立て時間を低減し、同時に、部品の総数を大幅に低減する目的を達成し、部品の自動化製造効率及び自動化組み立て部品の工程及び簡易度を向上させることができる。
【００１７】
また、本発明は、改良した蓋体の部品構造設計によって、蓋体部品の数量をただ１つに減少し、単一蓋体は、弾性片の安定した挟持効果を加えることができる。
【図面の簡単な説明】
【００１８】
【図１】従来の接続端子の断面図である。
【図２】図１の分解図である。
【図３】図１のＡ局部拡大説明図である。
【図４】本発明の電気コネクタの立体図である。
【図５】図４の断面図である。
【図６】図４の分解図である。
【図７】図５のＢ局部拡大説明図である。
【発明を実施するための形態】
【００１９】
本発明の構造、使用及びその特徴に対して更に明確、詳細に認識、理解するため、好適実施例を挙げ、図面を合わせて以下に詳細に説明する。
【００２０】
図４〜図７に示すように、本発明の電気コネクタ２は、主に外殻３、内蓋４、パッド体５、導線６、弾性片７及び係止部材８等の6つの大きな部分構造を含む。
【００２１】
該外殼３は、絶縁のプラスチック材料で構成され、内部の電線等の部品及び人体が接触し得る部位に保護作用を提供し、該外殻３の内部に収容通路３０を形成し且つ該収容通路３０の相対する両端にそれぞれ取り付け孔３１及び嵌合孔３２を形成する。
【００２２】
該収容通路３０は、該取り付け孔３１から該嵌合孔３２に向けて順に寸法が伸縮する第１孔径３０１、第２孔径３０２及び第３孔径３０３を形成し、該第１孔径３０１の直径寸法は、該パッド体５及び取り付け孔３１の直径寸法の大きさに対応し、該第２孔径３０２は、該内蓋４の直径寸法の大きさに対応し、該第３孔径３０３は、即ち、該嵌合孔３２の直径寸法の大きさである。
【００２３】
且つ該第２孔径３０２の前端部は、第１係止部３０４を構成し、該第３孔径３０３の前端部は、第２係止部３０５を構成する。
【００２４】
該内蓋４は、該収容通路３０の嵌合孔３２の位置に組み付けられ、該第２係止部３０５の表面に嵌合接触し、且つ該内蓋４の内部に取り付け通路４０を形成し、該取り付け通路４０の前後両端にそれぞれ配線開孔４１及び挿入開孔４２を形成する。
【００２５】
そのうち、該配線開孔４１と挿入開孔４２の間に嵌合空間４３を形成し、且つ該配線開孔４１の孔径寸法は、該嵌合空間４３の直径寸法よりも小さく、該配線開孔４１は、外向きに徐々に拡張する錐状の接続孔４１０を延伸し、該挿入開孔４２も外向きに徐々に拡張する錐状の挿入孔４２０を延伸する。
【００２６】
また、該パッド体５は、該収容通路３０の取り付け孔３１の位置に組み付けられ、該第１係止部３０４の表面に嵌合され、該第１係止部３０４により、該パッド体５が押圧固定を受ける最終位置に係止するものであり、且つ該第１係止部３０４、第２係止部３０５は、パッド体５に合わせて共同で該弾性片７が横方向の弾性リリース運動できる空間及び距離を定義する。
【００２７】
該パッド体５の内部に固定通路５０を形成し、該パッド体５の固定通路５０は、該導線６に対応する第１直径５１及び該係止部材８に対応する第２直径５２を有し、該第２直径５２は、該第１直径５１より大きい。
【００２８】
また、該導線６は、該パッド体５の固定通路５０に挿設され、且つ該導線６は、該固定通路５０を貫通し、外向きに露出して他の部材と接触する導電接続段６０を延伸する。
【００２９】
該弾性片７は、挟持端７０及び相対側に位置する嵌合端７１を設け、該嵌合端７１は、該内蓋４の取り付け通路４０中に取り付けられ、該挟持端７０は、該導線６の導電接続段６０の相反端にリベット接続し、且つ該挟持端７０は、パッド体５の後壁面と接触嵌合し、該外殻３の内壁面と該弾性片７の間に間隔空間３３を形成し、図面から分かるように、本発明の弾性片７の挟持端７０及び中央領域部分は、その他の部材構造とは全く接触していない。
【００３０】
外部の線材及び本発明の電気コネクタ２が電気接続する時、該弾性片７の嵌合端７１は、該嵌合空間４３に位置するリリース弾性を提供することができる。
【００３１】
また、該係止部材８は、該導線６に覆設され、該係止部材８の位置は、該パッド体５、導線６及び弾性片７の三者の間に設けられ、該係止部材８によって前記三者の間の係合の強度を更に安定させることができる。
【００３２】
また、説明すべきこととして、本発明の電気コネクタ２の取り付け工程／方式は、スタンピング成型の工程段階において、該導線６及び弾性片７の両者が同時にスタンピング成形され、相互の間がリベット接続され、その後、弾性片７とリベット接続した導線６は、同時に該内蓋４及びパッド体５を挿設し、本発明の電気コネクタ２を取り付ける工程を完成し。この種の方式は、半田溶接による従来の弾性片１２とピン針１１との接続を回避することができる。半田溶接を用いると、錫金属の厚さが容易に不均一となる問題だけではく、更に部品の間の組み立てや取り付け上の問題も生じることがある。
【００３３】
このように、本発明の電気コネクタ２は、ただ１つの内蓋４によって単一のパッド体５と単一の係止部材８を合わせ、三者共同で本発明の弾性片７の両側にそれぞれ押圧嵌合を行い、該内蓋４が加圧する力の方向と該パッド体及び係止部材８が加圧する力の方向は、互いに相対し、本発明の弾性片７が導線６を安定して挟持できるようにする効果を達成する。
【００３４】
従来の弾性片１２に対して内蓋１３、外蓋１６、及び少なくとも１つのパッドリング及びパッド体１５、１７、１８を要してようやく本発明の単一の内蓋４の前記段落の説明に近似する／相当する効果を達成することができる。これに基づき、本発明の運用は、比較的少ない部品数で弾性片７を安定させる目的を達成することができるほか、本発明の電気コネクタ２の構造組み立て時間と複雑度を下げることができる。これにより自動化製造部品及び自動化組み立て部品の簡易度を向上させることもできる。
【００３５】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００３６】
１  接続端子
１０  保護シェル
１１  ピン針
１２  弾性部材
１３  内蓋
１４  係止部材
１５  第１パッドリング
１６  外蓋
１７  パッド
１８  第２パッドリング
２  電気コネクタ
３  外殻
３０  収容通路
３０１  第１孔径
３０２  第２孔径
３０３  第３孔径
３０４  第１係止部
３０５  第２係止部
３１  取り付け孔
３２  嵌合孔
３３  間隔空間
４  内蓋
４０  取り付け通路
４１  配線開口部
４１０  錐状の接続孔
４２  挿入開孔
４２０  錐状の挿入孔
４３  嵌合空間
５  パッド体
５０  固定通路
５１  第１直径
５２  第２直径
６  導線
６０  導線段
７  弾性片
７０  クリップ端
７１  嵌合端
８  係止部材
【図１】
2018181826.tif 000003
【図２】
2018181826.tif 000004
【図３】
2018181826.tif 000005
【図４】
2018181826.tif 000006
【図５】
2018181826.tif 000007
【図６】
2018181826.tif 000008
【図７】
2018181826.tif 000009